(57)【特許請求の範囲】
【請求項１】
タッチパネルに表示した複数のキーのいずれかにタッチしたことを検出するタッチキー検出手段と、
前記タッチキー検出手段でキーへのタッチを検出した後、当該キーへのタッチを取り消す操作が行われたことを入力するキャンセル指示入力手段と、
前記キャンセル指示入力手段に当該キーへのタッチを取り消す操作が入力された時、当該キーの表示領域に予め設定されたタッチ感応領域を分割し、分割されたタッチ感応領域を当該キーの周囲にある各キーそれぞれに割り振るタッチ感応領域変更手段とを備えたことを特徴とする入力補助機能付タッチセンサー。
【請求項２】
前記タッチ感応領域変更手段は、前記当該キーの表示領域に予め設定されたタッチ感応領域の全領域を、周囲にある各キーに割り振ることを特徴とする請求項１記載の入力補助機能付タッチセンサー。
【請求項３】
前記タッチ感応領域変更手段は、前記当該キーの表示領域に予め設定されたタッチ感応領域の周縁の内側のみを、周囲にある各キーに割り振ることを特徴とする請求項１記載の入力補助機能付タッチセンサー。
【請求項４】
前記当該キーの表示領域上には、周囲のキーの感応領域に変更したことを示す境界線を表示するタッチパネル表示手段を備えたことを特徴とする請求項１記載の入力補助機能付タッチセンサー。
【請求項５】
前記入力補助機能付タッチセンサーを車両用ナビゲーション装置のモニタに適用したことを特徴とする請求項１記載の入力補助機能付タッチセンサー。
【発明の詳細な説明】
【技術分野】
【０００１】
本発明はタッチセンサーに関し、特に多数並んだキーから特定のキーを選択してタッチ入力するとき、誤ったキーにタッチした際に再度誤った操作を行うことを防止可能とした入力補助機能付タッチセンサーに関する。
【背景技術】
【０００２】
現在広く普及しているＬＣＤには、その表面にタッチパネルを貼ることにより、利用者が指等で任意の部分に触るとそのタッチ位置を検出して、利用者の指示入力とすることが広く行われている。即ち、画面に表示されている例えば各種指示入力画像部に指等を接触させることによって、タッチパネルに形成されている各種手法による接触位置検出手段により、画面全体のＸ−Ｙ位置を検出し、利用者の指示がその位置に表示されている画面の指示である、として所定の入力を行っている。このような利用者による指示は単なる指示した点ではなく、それをなぞったことにより線、更には面を指示し、或いはこれを表示することが可能である。
【０００３】
このようなタッチパネルには各種の手法が存在するが、位置検出精度が良く、安定して作動し、故障が少なく、比較的安価に製造できることから抵抗膜方式が広く用いられている。この抵抗膜方式にも種々の方式が存在するが、多くのものはベースとなるガラス基板の表面に厚さ５〜１０μｍ程度の、上下のパネルを貼り合わせるためのシール材、並びに上下の電極間の短絡を防ぐドットスペーサを適宜配置し、その表面に弾力性のある２００μｍ程度のガラスかＰＥＴのシートを貼り付けたものが用いられている。このガラス基板とシートとが向かい合っている面には、それぞれＩＴＯ（Indium Tin Oxide）と呼ばれる透明な電極が設けられている。
【０００４】
これらの電極構成において、最も基本的な構成である４線式について、指等による指示点の検出を行うタッチ位置検出手法を図７（ａ）に示している。同図に示す例においては、固定電極２２はＸ−Ｙ軸についてＹ方向の位置を検出するために合い対向する横の辺にＹ１電極とＹ２電極とを設け、この電極に対してＹ１電極側を＋、Ｙ２電極側を−となる電圧をかけている。同図上にこの固定電極２２と図示していないスペーサを挟んで対向している可動電極２１についてはＸ方向の位置を検出するために、縦の辺にＸ１電極とＸ２電極とを設け、この電極に対してＸ１電極側を＋、Ｘ２電極側を−となる電圧をかける。
【０００５】
このような電極構成により、利用者がこのタッチパネルの任意の位置であるＰ点を押す時、可動電極側２１の抵抗膜がスペーサの方向に撓んで固定電極２２側の抵抗膜に接触することにより、可動電極２１側と固定電極２２側の抵抗膜において分圧抵抗が生じ、その位置を求めることができる。即ち図示の例では可動電極２１側においてＰ点を挟んで、Ｘ１電極側はＲｘ１、Ｘ２電極側はＲｘ２の抵抗値となる。同様に固定電極２２側はＰ点を挟んでＹ１電極側はＲｙ１、Ｙ２電極側はｙ２の抵抗値となる。上記のような可動電極２１を、スペーサを挟んで固定電極２２に貼ることにより、図７（ｂ）に示すようなタッチパネル２３が形成され、その表面が指示入力部分となる。
【０００６】
上記タッチパネルは図８（ａ）に示すようにＬＣＤ液晶表示装置２４の表面に貼ることにより、同図（ｂ）に示すようなタッチパネル付液晶表示装置２５が作成され、液晶表示装置に例えば各種キーを表示している時、利用者がタッチパネルの表面をタッチして押圧すると、タッチした前記Ｘ−Ｙの位置に対応して、液晶画面に表示している画像におけるＸ−Ｙ位置に存在するキーを指示したものとして検出することができる。
【０００７】
しかしながら、近年は携帯機器や車両搭載機器の高機能化により、各種の入力を行うことが多くなり、比較的小さな画面に多くの選択キーを並べて、任意のものをタッチして選択指示することが多くなっている。特に住所や施設の検索をアルファベットや五十音によって検索する時には、例えば図９（ａ）のアルファベット順キー入力方式、（ｂ）の五十音順キー入力方式、（ｃ）のキーボード型キー入力方式等によって入力することとなる。その際にはこのキー配列を１画面内に表示するため、例えばナビゲーション装置では多くの場合１ＤＩＮ、２ＤＩＮ規格等による所定の大きさ内で表示しなければならず、各キーは小さなものとならざるを得ない。このことは携帯情報端末においても同様である。
【０００８】
液晶画面に多数のキーを表示してその中から任意のものを選択するキー入力方式は、前記のような文字等の入力以外に、多数の機能表示部分を１画面に並べて表示し、その中の任意のものをタッチすることにより次の画面を表示し、或いは選択した機能を実際に開始する方式は、例えば携帯電話等で多用されている。この時にも、携帯電話のＡＶ機能や、データ通信機能の充実によって、多数の機能選択部分を表示するようになっている。このような機能選択部分等も実質的に前記キーと同様であり、したがって本発明ではこれらの複数の選択部分を並べ、タッチすることによりそれぞれの機能を行うようにしたものも、「キー」と総称する。
【０００９】
上記のように、液晶画面に多数表示したタッチキーの中から任意のキーをタッチして選択することが多くなってくると、利用者は小さな選択キーの中から指示したいキーを選んで、指等でタッチすることにより入力することとなり、本来押すべきキーではない、隣のキー等を押してしまうことも多くなってくる。特にナビゲーション装置では、モニタが車両のほぼ中央に固定され、これを車両の横側にいる運転者が停車中等に操作する時には、運転席から車両中央に設置したモニタの画面に表示されたキーを、横方向に手を伸ばして操作しなければならず、特に各キーの表示が小さい時には周囲のキーにタッチしてしまうことが多くなる。
【００１０】
なお、操作者がタッチパネルのキーに誤タッチしてキャンセル操作を行った時、誤タッチしたキーと周囲のキーを拡大表示し、その後の誤タッチを防止するようにした技術は特許文献１に開示されている。また、複数のタッチ操作キーへのタッチに際して、第１操作キーへのタッチ操作を行った後これを取り消す操作の反復回数を計測し、所定回数以上になった時、その後第１操作キーへタッチした時、第１操作キー自体と隣接キーとを別途拡大表示する技術は特許文献２に開示されている。
【先行技術文献】
【特許文献】
【００１１】
【特許文献１】特開２００７−１４０９００号公報
【特許文献１】特開２００９−３１９１３号公報
【発明の概要】
【発明が解決しようとする課題】
【００１２】
前記のように比較的小さな画面に多くのキーを表示して、その中から任意のキーをタッチする時には、周囲のキーを押してしまうことが多くなり、その対策が必要であるが、前記特許文献１に開示されたような、誤タッチキーについて、そのキーと隣接するキーとを拡大して表示するものは、操作者が実際に今回タッチした近傍のキーを操作する時には効果的であるものの、その位置と大きく離れているキー、或いは全く勘違いで別の部分のキーにタッチしてしまった時には、本来のタッチキーが配列された画面が表示されなくなり、拡大画面のみが表示されるため、表示された拡大画面をキャンセルしてから新たにタッチ操作を行わなければならず、手数を要することとなる。この点は前記特許文献２に開示された技術でも、本来のタッチキーが配列された画面が表示されないため同様の問題を生じる。
【００１３】
したがって本発明は、複数のタッチキーを配置し任意のキーにタッチして選択する時、タッチ操作した後にそのタッチ操作をキャンセルする操作が行われた時には、誤タッチしたキーに対する再度のタッチがなされないようにし、或いは少なくともタッチされることが少なくなるようにすると共に、タッチしたキーの周囲のキーについてはタッチし易くした、入力補助機能付タッチセンサーを提供することを主たる目的とする。
【課題を解決するための手段】
【００１４】
本発明に係る入力補助機能付タッチセンサーは、前記課題を解決するため、タッチパネルに表示した複数のキーのいずれかにタッチしたことを検出するタッチキー検出手段と、前記タッチキー検出手段でキーへのタッチを検出した後、当該キーへのタッチを取り消す操作が行われたことを入力するキャンセル指示入力手段と、前記キャンセル指示入力手段に当該キーへのタッチを取り消す操作が入力された時、当該キーに対するタッチ感応領域を、当該キーの周囲のキーのタッチ感応領域にに対して割り振るタッチ感応領域変更手段とを備えたことを特徴とする。
【００１５】
また、本発明に係る他の入力補助機能付タッチセンサーは、前記入力補助機能付タッチセンサーにおいて、前記タッチ感応領域変更手段が、前記当該キーの感応部分の全てを周囲のキーの感応部分に割り振ることを特徴とする。 
【００１６】
また、本発明に係る他の入力補助機能付タッチセンサーは、前記入力補助機能付タッチセンサーにおいて、前記タッチ感応領域変更手段が、前記当該キーの感応部分の一部を周囲のキーの感応部分に割り振ることを特徴とする。
【００１７】
また、本発明に係る他の入力補助機能付タッチセンサーは、前記入力補助機能付タッチセンサーにおいて、前記当該キーには、感応部分を変更したことを示す、他のキーとは識別可能な表示を行うタッチパネル表示手段を備えたことを特徴とする。
【００１８】
また、本発明に係る他の入力補助機能付タッチセンサーは、前記入力補助機能付タッチセンサーにおいて、前記入力補助機能付タッチセンサーを車両用ナビゲーション装置のモニタに適用したことを特徴とする。
【発明の効果】
【００１９】
本発明は上記のように構成したので、複数のタッチキーを配置し任意のキーにタッチして選択する時、タッチ操作した後にそのタッチ操作をキャンセルする操作が行われた時には、誤タッチしたキーの周囲のキーの感応部分を誤タッチしたキーの感応部分に拡大するように割り振って変更するので、誤タッチしたキーの感応部分が無くなるか、或いは面積が少なくなり、誤タッチしたキーに再度タッチがなされないようにすることができると共に、タッチしたキーの周囲のキーについては感応部分が広がってタッチし易くなるため、再度の誤タッチを防止することができるようになる。
【図面の簡単な説明】
【００２０】
【図１】本発明の実施例の機能ブロック図である。
【図２】同実施例の作動フロー図である。
【図３】同実施例の各種作動態様を示す図である。
【図４】同実施例の作動態様を示す図である。
【図５】本発明の更に他の態様を示す図である。
【図６】本発明の更に他の態様を示す図である。
【図７】タッチパネルの説明図である。
【図８】タッチパネルの説明図である。
【図９】タッチパネルを利用した各種キーの配列を示す図である。
【発明を実施するための形態】
【実施例】
【００２１】
本発明の実施例を図面に沿って説明する。図１は本発明の機能ブロック図である。本発明においては前記図７〜図９に示したような液晶画面の表面にタッチパネルを貼ることによって形成されたタッチパネル付き液晶表示装置を用いている。この液晶画面に複数のキーを表示し、表示したキーのうち任意のキーに触るように、その表面に貼ったタッチパネルに触ると、タッチパネルが感応し、そのキーを選択したものとして検出し出力する。本発明においては以降、このようなタッチパネル付き液晶表示装置を、タッチパネルと総称する。
【００２２】
図１には上記のようなタッチパネル１を備えており、図示するタッチパネル１には、住所のアルファベット入力等を行うために、アルファベットと数字からなる複数のキーを配置した例を示している。このタッチパネル１においては、タッチしたキーが例えば「Ｍ」である時、操作者がわかるようにこれを上方に表示している。また、この入力した文字が操作者の意図する文字ではなかった時、即ち誤タッチした時、これをキャンセルするためにデリートキーを備えている。なお、図示のタッチキーには、例えば住所検索における道路名を入力している場合、入力した「Ｍ」を頭文字にする道路が８２５件存在することも示している。
【００２３】
図１の例においては指示入力部２を備え、この中のタッチキー検出部３では、前記のようなタッチパネル１に対して、操作者が指等でタッチして指示を行ったキーを検出する。またキャンセル指示入力部４においては、操作者が指示したキーは意図するキーではないと思った時にこれをキャンセルするために、図示のタッチパネル例ではデリートキーにタッチした時、キャンセル指示入力部４でこれを検出し、前に行ったタッチキー入力は間違っていたものとしてその操作をキャンセルする。
【００２４】
図１の例においてはタッチパネルにキャンセルキーを備えていて、これにタッチすることによりキャンセル指示入力部４がこれを入力したものであるが、それ以外にタッチパネルを搭載した機器に、各種操作を行う際に共通のハードキーとしてのキャンセルキーを備えていることもあり、キャンセル指示入力部４ではそのようなハードキー操作も検出し入力する。また、例えば各種の機能を選択するために、それぞれの機能に対応したキーを多数表示している時、そのキーのいずれかを選択指示して、その機能を実行した時、意図する機能ではないことがわかり、元の機能選択画面に戻る操作が行われた時も、キャンセルの指示がなされたものとして検出する。このように、指示入力部２においては、タッチパネル１からの入力以外に、ハードキー操作、或いはカーソル操作等の各種指示を入力可能とする。入力終了検出部５では、タッチパネル１に対する一連の操作によって意図する入力がなされ、終了キー操作、或いは次の操作画面に移行する指示等がなされた時、一連の処理を終了するものとしてこれを検出する。
【００２５】
タッチ感応領域変更部１１においては、本発明の最も基本的な処理を行う部分であり、誤タッチキーの感応部を周囲のキーの感応部に割り振る処理を行う。即ち、前記タッチパネル１のキー配列において、同図に示すように操作者が「Ｍ」にタッチした時、タッチキー検出部はこの「Ｍ」を検出するが、その後キャンセル指示入力部４でこのタッチ入力をキャンセルしたことを検出した時には、タッチ感応領域変更部１１では、今回タッチした「Ｍ」に隣接する「Ｃ」「Ｎ」「Ｗ」「Ｌ」について、今回意図するキーではないとした「Ｍ」側に感応部を広げる処理を行う。
【００２６】
図１に示す例においては、誤タッチキーである「Ｍ」に隣接する４つのキーに均等に割り振った例を示しており、同図において（Ｃ）（Ｎ）（Ｗ）（Ｌ）として示している三角形の部分がそれぞれのキーにおいて感応領域を拡大した部分である。この時に無効化されたキー「Ｍ」については、そこに何のキーがあったか判別でき、前記のように感応領域が無くなったか狭くなったキーであることがわかる、例えば色を変える等の表示を行う。なお、上記の例はタッチ感応領域変更部１１で行う一例のみを示したものであり、後述するように種々の態様で感応領域を変更することができる。
【００２７】
タッチパネル表示部６においては、例えば前記のようにタッチパネル１のキーのうち「Ｍ」にタッチした時、タッチキー検出部３がこれを検出した際には、タッチパネル表示部６は、画面の一部に今回タッチしたキーは「Ｍ」であることを表示する、等の各種の表示を行う。また、図１の例ではその「Ｍ」に対応するものは８２５件存在する等の表示も行っている。
【００２８】
タッチ検出キー対応出力部７においては、現在のタッチパネルのキー入力が前記のような文字や数字の入力である時には、タッチしたキーの文字或いは数字を表示する処理を行う。また、タッチパネル１にこのタッチパネルを備えている機器の各種機能に対応したキーを表示して、任意のキーにタッチすることによりその機能を行い、或いは次の機能選択画面を表示するようにしている時には、タッチ検出キー対応出力部７では、その時指示された機能を行う指示出力を行う。
【００２９】
タッチキー入力確定部８においては、操作者が前記のようにタッチパネル１に表示したキーに対してタッチし、その後キャンセル操作がなされず、次の操作が行われた時、先のキー操作は操作者の意図するキーであるものとして確定する。そのタッチキー入力確定により、前記タッチ検出キー対応出力部７は入力の確定に対応した出力を行う。また、タッチキーの入力が前記のように確定した時には、入力確定記憶部９でこれを記憶し、例えば最初のタッチ操作で「Ａ」が確定した時、その次に続く一連の住所等の文字を記憶して、最終的な入力処理の終了時までこれを記憶しておく。
【００３０】
図１に示す例ではタッチ感応領域変更解除部１０を備え、前記のように誤タッチキーに対する感応領域の変更処理を行った後、操作者がいずれかのキーにタッチしたことを検出時、今回の感応領域の変更処理は終了するものと見なしてこの状態を解除し、元の通常の感応領域の状態に戻すようにしている。
【００３１】
前記のような機能ブロックからなる本発明においては、例えば図２に示す作動フローにより実施することができる。図２に示すタッチパネル入力処理の例においては、最初タッチパネルにタッチ入力用キー表示を行う（ステップＳ１）。この時のキー表示は各種機器の各種入力機能において、任意の表示がなされるが、その際には例えば図９（ａ）〜（ｃ）に示すような各種文字や数字を入力するキー配列、また、図５（ｃ）に示すようなアルバム選択用キー配列、更に図６に示すような各種キー配列、等々のほぼ無限に等しい程のキー配列が存在する。
【００３２】
次いでタッチパネルのキー表示のキー表示部分にタッチ入力が行われ（ステップＳ２）、その後このタッチ入力を検出することによりタッチした部分に対応して出力を行う（ステップＳ３）。前記図１の例ではタッチパネルには任意の文字や数字を入力するキーを配置しており、その中の文字入力用のキーを選択して例えば「Ｍ」のキーにタッチすると、今回タッチしたキーが「Ｍ」であることを表示する出力が行われる。また、このタッチパネルに表示した「Ｄｅｌｅｔｅ」キーにタッチすると、先に行った操作をキャンセルする旨の出力を行う。また、タッチパネルに各種機能を行うためのキー表示を行っている時には、それらのキーにタッチすることにより、各機能を実行するための出力がなされる。
【００３３】
これらの処理は図１の指示入力部２におけるタッチキー検出部３で操作者が例えば「Ｍ」のキーにタッチしたことを検出した時、タッチ検出キー対応出力部７が、タッチパネル表示部６に対して、今回タッチしたキーは「Ｍ」であることを表示させることにより行っている。
【００３４】
その後図示の例では、キャンセル指示を入力したか否かを判別する（ステップＳ４）。ここで例えばキャンセルキー等を押さずに次の文字の入力のために新たなタッチ入力を行ったことを検出した時、或いはキーへのタッチにより次の機能の処理を開始した時等には、ステップＳ４でキャンセル指示は入力されなかったものと判別して、ステップＳ１１に進む。
【００３５】
ステップＳ１１においては前記のように、今回のタッチ入力を確定し、そのた後は、タッチ入力を終了するか否かを判別する（ステップＳ１２）。前記のように一連のタッチキー入力は終了して次の画面に進む等の処理がなされた時には、ここでタッチ入力を終了すると判別して、一連のタッチパネル入力処理を終了する（ステップＳ１３）。また、ステップＳ１２において前記のような終了関連入力がない時には、未だ一連のタッチ入力は終了していないものとしてステップＳ２に戻り、次のタッチ入力を行って前記作動を繰り返す。
【００３６】
前記ステップＳ４においてキャンセル指示を入力したと判別した時、即ち図１のキャンセル指示入力部４でキャンセルする旨の指示入力を検出した時には、ステップＳ５に進んで、タッチしたキーの感応部分を、周囲のキーの感応部分に割り振る。前記図１と同様のタッチキーを用いた図３（ａ）のように「Ｍ」のキーにタッチしたときには、同図（ｂ）に示すように誤タッチしたキー「Ｍ」は次には選択されることはないものとして、その感応部を隣接するキーの感応部に全て割り振る。前記説明は、図１のタッチ感応領域変更部１１の説明で述べたとおりである。
【００３７】
それに対して図３（ｃ）に示す他のタッチキー割り振り変更例２では、先に誤タッチしたキー「Ｍ」についても小さな感応部分を残しておき、その周囲の部分を隣接するキーの感応部分に割り振っている。これらの作動も図１のタッチ感応領域変更部１１において行っている。誤タッチ時におけるキー感応部の割り振りに際しては、そのほか同図（ｄ）に示すように、誤タッチキー「Ｍ」に隣接するキーとしてそのコーナー部分に存在する「Ｂ」「Ｄ」「Ｘ」「Ｖ」についても領域を拡大し、本来の「Ｍ」の領域の４隅にこれを配置しても良い。
【００３８】
また、同図（ｅ）に示すように、前記本来の「Ｍ」の領域の４隅の部分に配置した拡大領域を、それぞれ本来の「Ｍ」のコーナー部分の各キーに連続するように領域を定めることもできる。その際にはそれぞれ周囲のキーの感応領域の一部を使用することとなるが、「Ｍ」のコーナー部分に位置する各キーについては、同図（ｄ）に示す例よりも入力がし易くなる。なお、このような感応領域の変更の作動は、図１のタッチ感応領域変更部１１において行っている。  
【００３９】
その後前記のようにして誤タッチしたキーを他のキーとは識別可能に表示する（ステップＳ６）。この時の識別可能な表示手法としては種々の態様で実施することができるが、例えば他のキーの色とは異なる色とし、或いはキー表示を小さくし、更にはキーを薄く表示する等、種々の手法によって、その部分のキーをタッチしても機能しないこと、或いはタッチ感応領域が狭くなっていることを操作者に示すことができる。
【００４０】
次いでタッチパネルのキー表示部分に再度タッチ入力を行い（ステップＳ７）、タッチした部分が何のキーであるかの表示、或いは何の機能を行うのか等、タッチしたキーに対応して出力がなされる（ステップＳ８）。図２の例においてはその後、タッチ感応部分の変更を解除している（ステップＳ９）。この処理は、図１のタッチ感応領域変更部１１で、誤タッチキーに対する感応領域の変更処理を行った後に、タッチキー検出部３で次のタッチ入力があったことを検出した時に、タッチ感応領域変更解除部１０で、先の感応部分の割り振りを解除することにより行っている。
【００４１】
その後は前記ステップＳ４と同様に、キャンセル指示を入力したか否かを判別し（ステップＳ１０）、キャンセル指示を入力していないと判別した時にはステップＳ１１に進んで今回のタッチ入力を確定し、以降は前記の作動を行う。それに対してステップＳ１０でキャンセル指示を入力したと判別した時には、ステップＳ５に戻って前記の作動を繰り返す。
【００４２】
但しそれ以外に、誤タッチキーの周囲のキーの感応領域を拡大して、その後のタッチ入力でその感応領域を拡大したキーにタッチしたにも関わらず、そのタッチ入力は誤タッチであるとしてキャンセルされた時には、再度のタッチもその周囲のキーにタッチする筈であったものと判断し、先の誤タッチキー周囲の感応領域の拡大と同様の処理を行うようにしても良い。その時には最初に誤タッチしたキーと共に、今回誤タッチしたキーについても、その周囲のキーの感応領域を広げることによって無効化しても良く、また図３（ｃ）の例と同様に、誤タッチキーについては小面積の感応領域として残すようにしても良い。
【００４３】
上記のような一連の処理を行う結果、本発明においては例えば図４に示すようなタッチパネルの表示がなされる。図４に示すタッチパネルの例においては、図１及び図３のタッチパネルと同様のキー配列を備えたタッチパネルの使用例を示し、このタッチパネルによってストリート名を入力しようとしている状態を示している。
【００４４】
図４に示す例においては、最初同図（ａ）に示すように、タッチキーのほとんどを通常表示している状態から、操作者が前記の例と同様に「Ｍ」のキーにタッチ入力した時、同図（ｂ）に示すような表示がなされる。即ち、今回タッチしたキーは「Ｍ」であることを、上方の入力表示欄に表示している。この時、検索数の欄には最初が「Ｍ」のストリート名は８２５件であることを示している。
【００４５】
なお、同図（ａ）には検索対象が９００７件であることを示している。また、同図（ｂ）においては、もしも操作者が先にタッチしたキー「Ｍ」が正しいとなった時は、次に入力する文字は、データベースの検索の結果及び検索機能の点から、明るく示しているキーであることを示している。図示の例では「Ａ」「Ｃ」「Ｅ」・・・等のキーは次の文字として候補になる文字であり、それに対して「Ｂ」「Ｄ」「Ｆ」・・・等のキーは次の文字として候補にならないことを示している。
【００４６】
図４（ｂ）において、「Ｍ」のキーをタッチしたことを操作者は入力表示欄に「Ｍ」が表示されたことにより知り、本来はその隣の「Ｎ」を押したかったのに誤タッチしてしまったことを知る。ここで操作者はキャンセルキーを押すと、同図（ｃ）のように前記（ａ）と同様の初期画面に戻る。但し、この時前記のように誤タッチキー「Ｍ」とそれに隣接するキーについて、感応領域の割り振りが行われ、周囲のキーについては感応領域の拡大がなされると共に、誤タッチキーについては感応領域が無くなり、或いは縮小する。このような処理が行われたことは、誤タッチキーである「Ｍ」が図中小さく表示されていることにより、その状態を知ることができるようにしている。
【００４７】
図４（ｃ）に示す状態から再度操作者がタッチ入力を行う時、「Ｎ」の感応領域にタッチすると、同図（ｄ）のような表示がなされる。即ち、入力表示欄には今回は「Ｎ」のキーにタッチしたことを示し、データベースを検索した結果Ｎに続く文字が存在するキー以外のキーはある程度目立たない表示とする。この時、図２の作動フローの例では、今回は感応領域の変更を行った誤タッチキーの周囲のキーにタッチしたことを検出することにより、感応領域の変更を解除している。この状態は、先に誤タッチキー「Ｍ」について感応領域の無効化、或いは縮小を行ったことにより小さく表示していたのに対して、これを解除することにより元の大きさに戻している。
【００４８】
図示の例ではタッチキー「Ｍ」に誤タッチしたことにより、周囲のキーの感応領域の拡大変更を行った後、感応領域を拡大変更したキーにタッチした例を示したが、ここで操作者が先に「Ｍ」のキーをタッチしたのは全くの勘違いであり、本来は「例えば「Ｇ」のキーをタッチしなければならなかったことに気が付いたような場合、或いは誤タッチ「Ｍ］とは少し離れた例えば「Ｏ」のキーであった時のような場合も、タッチ感応部分の変更を解除する。
【００４９】
この点に関し、前記従来の技術においては、誤タッチキーの周囲のキーを含めて拡大表示するため、本来のキー表示が見えなくなっており、誤タッチキーの周囲のキーではないキーをタッチしようとすると、その拡大表示を解除して、当初のキー表示に戻さなければならないのに対して、本発明においてはこのような拡大表示を行うことがないので、この問題を解決することができる。
【００５０】
前記の例においてはタッチキーとして文字や数字を表示したキーの例を示したが、それ以外に種々のキーを表示する場合にも適用でき、例えば図５（ａ）に示すような携帯電話や、（ｂ）に示すような携帯情報端末において、内部のメモリに記録している多量のオーディオを選択して聴こうとする時、例えばジャケット写真を表示して選択する時のような場合にも適用することができる。
【００５１】
図５に示す例では同図（ｃ）のようにＡ〜Ｌの多数並んだジャケット写真の中から利用者がタッチしたジャケット写真のアルバムを選択する時、同図（ｃ）のＨとして示すジャケット写真にタッチしたことを検出し、次の画面でその中に含まれる曲が表示された際に、利用者は誤タッチに気が付いて元の画面に戻る操作を行うこととなる。その時には同図（ｄ）に示すように、誤タッチキー（Ｋ）の周囲のキー（Ｅ）（Ｉ）（Ｋ）（Ｇ）に対して感応部の割り振りを行う。この時の割り振りは同図（ｄ）の例以外に、前記図４（ｃ）〜（ｅ）と同様に、種々の態様で割り振りを行うことができる。
【００５２】
本発明は更に、例えば図６（ａ）に示すような、縦に並んだキーの中から任意のキーを選択する時にも同様に利用することができる。即ち、例えば前記図５の例において、利用者が任意のアルバムを選択した時、そのアルバムに含まれる曲名を図６（ａ）のように列挙し、その中から任意の曲をタッチ入力により選曲しようとした場合に相当する。図示の例では「ＣＣＣＣ」に誤タッチしたため、もう一度選択をし直そうとした際には、同図（ｂ）のように誤タッチしたキーの感応部に対して、上下のキーの感応部がその範囲を広げる割り振りを行う。その結果「ＢＢＢＢ」と「ＤＤＤＤ」のキーの感応部が広くなり、誤タッチの修正がし易くなる。
【００５３】
そのほか、図６（ｃ）に示すれいにおいては、「Ａ」のキーを中心に「Ｂ」「Ｃ」「Ｄ」「Ｅ」「Ｆ」のキーを配置したデザインを採用した時、中心の「Ａ」のキーに誤タッチしたことに気が付いて、元の画面に戻る時、例えば同図（ｄ）のように、「Ａ」のキーの周囲のキーにおける感応部を均等に「Ａ」のキーの感応部に広げる割り振りを行った例を示している。
【００５４】
また、前記の例においては感応部を密着して配置した例を示したが、そのほか図６（ｅ）に示すように、感応部がそれぞれ分離している時でも、同図（ｆ）のように誤タッチしたキーの感応部を（Ｆ）（Ｊ）（Ｍ）（Ｈ）のように配置し、この部分にタッチしてもそれぞれのキーにタッチしたものとして扱うような感応部の割り振りを行うこともできる。
【００５５】
前記のように本発明は種々の態様で実施することができるが、同様の趣旨で更に種々の態様で実施することができることはいうまでもない。
【符号の説明】
【００５６】
１  タッチパネル
２  指示入力部
３  タッチキー検出部
４  キャンセル指示入力部
５  入力終了検出部
６  タッチパネル表示部
７  タッチ検出キー対応出力部
８  タッチキー入力確定部
９  入力確定記憶部
１０  タッチ感応領域変更解除部
１１  タッチ感応領域変更部
【図１】
0005550435.tif 000002
【図２】
0005550435.tif 000003
【図３】
0005550435.tif 000004
【図４】
0005550435.tif 000005
【図５】
0005550435.tif 000006
【図６】
0005550435.tif 000007
【図７】
0005550435.tif 000008
【図８】
0005550435.tif 000009
【図９】
0005550435.tif 000010